(57)【要約】【課題】  油漏れをなくして、接触せずにローリング体を直接潤滑出来ると共に、潤滑の期間を増して、機器運転を停止し減摩油の補充回数を減らすことができる自主潤滑システム付きリニアガイドを提供すること。【解決手段】  ガイド１０と、スライドブロックセットにおいて、スライドブロックセットはスライドブロック本体２０と、カバー３０及び板３１を含み、カバー３０がスライドブロック本体２０の両端に設置され、板３１がカバー３０とスライドブロック本体２０との間に設置され、スライドブロック本体２０には中空溝２１が設置されているスライドブロックセットと、ローリング体６０とからなり、スライドブロックセットに、ローリング体６０の運動速度により減摩油の油供給量を調節する自主潤滑システムを組み込んで構成する。【選択図】  図２
2005220994.tif 000002
【特許請求の範囲】
【請求項１】
自主潤滑システム付きリニアガイドにおいて、
やや長方形となるガイドと、
前記のガイドに設けられて滑るスライドブロックセットにおいて、スライドブロックセットはスライドブロック本体、カバー及び板を含み、
カバーがスライドブロック本体の両端に設置され、
板がカバーとスライドブロック本体との間に設置され、
それとカバーの内面とは完全な回流転向ルートを形成し、
スライドブロック本体には中空溝が設置されているスライドブロックセットと、
前記ガイドとスライドブロックセットの間に置かれローリングし、前記の回流転向ルートに回流し転向するローリング体と、からなり、
前記スライドブロックセットに設けられ、前記ローリング体の運動速度により減摩油の油供給量を調節する自主潤滑システムは油貯蔵装置及び潤滑ルートを含み、
その油貯蔵装置は前記スライドブロック本体の中空溝に設置され減摩油を貯蔵し、
この中空溝とスライドブロック本体端面との間に穴があり、
中空溝に装置された油貯蔵装置内の減摩油がそこから導出され、
潤滑ルートは毛管現象のある油含み材料であり、油含み材料が減摩油を前記板とカバーと合わせる潤滑位置へ導引させ、前記ローリング体を潤滑されるようにすることを特徴とする、
自主潤滑システム付きリニアガイド。
【請求項２】
請求項１に記載した自主潤滑システム付のリニアガイドにおいて、中の油含み材料はフェルト、綿ネル、棉（或いは棉線）、高密度の耐油棉または海綿などの材料があり、この油含み材料の一部は油貯蔵装置にあり、減摩油を油貯蔵装置から導出させることを特徴とする、自主潤滑システム付のリニアガイド。
【請求項３】
請求項１に記載した自主潤滑システム付のリニアガイドにおいて、油貯蔵装置内に置かれた油含み材料を面積の大きい形状に設計し、減摩油の量が少ない時にも油の供給を続けることを特徴とする、自主潤滑システム付のリニアガイド。
【請求項４】
請求項１に記載した自主潤滑システム付のリニアガイドにおいて、油貯蔵装置は油貯蔵タンク及び底板からなり、その成型封じ性が金属または非金属の接合成型技術によるもので、この底板の両辺には保持部を設け、左右のローリング体を落ちないように保持させ、底板の両端に固定部を設け、固定部と前記のカバーを合わせ、前記油貯蔵装置をスライドブロックセットに固定させることを特徴とする、自主潤滑システム付のリニアガイド。
【請求項５】
請求項１に記載した自主潤滑システム付のリニアガイドにおいて、中の潤滑位置は板とカバーと合わせる面に一つの小さな隙間を設置し、油含み材料の中の減摩油を毛管現象により回流転向ルートへと向くようにすることを特徴とする、自主潤滑システム付のリニアガイド。
【発明の詳細な説明】
【技術分野】
【０００１】
本発明は自主潤滑システム付きリニアガイドに関し、リニアガイドというのは一般には精密コントロールを提供するリニア導引機構であり、広範に機械アーム、産業機械、機械業、自動化設備、測る機器及び電子設備などの機構に応用可能な自主潤滑システム付きリニアガイドに関するものである。
【背景技術】
【０００２】
沢山の機械にリニアガイドが設置されている。
リニアガイドは一種のリニアガイド機構であり、リニアガイドは十分な油で玉を潤滑すれば正常に運転できて使用寿命に影響を与えない。
現在の潤滑方法は大体、間接潤滑玉（間接潤滑法）と直接潤滑玉（直接潤滑法）の二種がある。
リニアガイドの間接潤滑玉という方法は米国特許第６１５５７１７号及び第５７７２３３３号に示されている。
【発明の開示】
【発明が解決しようとする課題】
【０００３】
その特許はスライドブロック両端に油含みスライドブロックを増設しガイドの表面に接触し、スライドブロックの油を先にガイド表面の玉ローリングルートを潤滑し、玉が潤滑されたルートを通過する時に、その上にある油で潤滑されるので、効果が悪い。
さらにスライドブロックとガイドと接触する潤滑重点部位に摩擦されると損害になり交換もし難く、また、スライドブロックを設置するとスライドブロックの長さが長くなり空間を浪費してしまう。
他に、直接潤滑玉方法は米国特許第５６９４８１１号に開示されている。この特許は、スライドブロック本体に油含み潤滑物質を装備し、そして減摩油が玉と直接接触し、油含み物質内の油で玉を直接潤滑させるものである。この方式は直接に玉を潤滑することで間接潤滑より効果がよいが、スライドブロックの底、或いは玉溝のそばに潤滑材質を貼って潤滑効果を達成するので、スライドブロックにおける加工上の困難さ及び手順、コストの上昇といった問題がある。
さらに繊維が直接に玉と接触、摩擦するため繊維織物の損害になり易く、また繊維が玉に付着しやすくローリングルートへ入って、玉の運転を不順にする。
【０００４】
本発明は以上の問題点を解決するために成されたもので、その目的は油漏れをなくして、接触せずにローリング体を直接潤滑出来る、自主潤滑システム付きリニアガイドを提供することにある。
本発明の次の目的は、潤滑の期間を増して、機器運転を停止し減摩油の補充回数を減らすことができる、自主潤滑システム付きのリニアガイドを提供することである。
【発明の効果】
【０００５】
本発明は、油漏れをなくして、接触せずにローリング体を直接潤滑出来る、自主潤滑システム付きリニアガイドを提供することができる。
さらに本発明は、潤滑の期間を増して、機器運転を停止して行う減摩油の補充回数を減らすことが可能な、自主潤滑システム付きのリニアガイドを提供することができる。
【課題を解決するための手段】
【０００６】
本発明は、上記した課題を達成するため、やや長方形となるガイドと、前記のガイドに設けられて滑るスライドブロックセットよりなるリニアガイドにおいて、前記スライドブロックセットは中空溝を形成したスライドブロック本体と、カバーと板とローリング体とを含み、カバーはスライドブロック本体の両端に配置され、該板がカバーとスライドブロック本体との間に設置され、それとカバーの内面とは完全な回流転向ルートを形成し、ローリング体は前記ガイドとスライドブロックセットの間に回転可能に置かれ、前記スライドブロックセットには、前記ローリング体の運動速度により減摩油の油供給量を調節する自主潤滑システムが設けられ、自主潤滑システムは油貯蔵装置及び潤滑ルートを含み、その油貯蔵装置は前記スライドブロック本体の中空溝に減摩油を貯蔵し、この中空溝とスライドブロック本体端面との間に設けた穴を通じて、油貯蔵装置の中空溝内の減摩油を導き出し、毛管現象のある材料で構成する油含み材料が減摩油を前記板とカバーと合わせた潤滑位置へ導き出して、前記ローリング体を潤滑するように構成したことを特徴とするものである。
さらに本発明は、前記した自主潤滑システム付きリニアガイドにおいて、中の油含み材料はフェルト、綿ネル、棉（或いは棉線）、高密度の耐油棉または海綿などの材料よりなり、油含み材料の一部は油貯蔵装置に位置させて減摩油を油貯蔵装置から導き出させることを特徴とするものである。
さらに本発明は、前記した自主潤滑システム付きリニアガイドにおいて、油貯蔵装置内に設置した油含み材料を面積の大きい形状に設計し、それで減摩油の量が少ない時に油の供給を継続可能に構成したことを特徴とするものである。
さらに本発明は、前記した自主潤滑システム付きリニアガイドにおいて、油貯蔵装置は金属または非金属を成型または接合により形成した油貯蔵タンクと底板とからなり、底板の両辺に設けた保持部によって左右のローリング体を落ちないように保持し、底板の両端に設けた固定部と前記のカバーを合わせて、前記油貯蔵装置をスライドブロックセットに固定することを特徴とするものである。
さらに本発明は、前記した自主潤滑システム付きリニアガイドにおいて、板とカバーとの合わせ面に小さな隙間を形成し、該隙間を通じて油含み材料中の減摩油を毛管現象により回流転向ルートへ流出させるように構成したことを特徴とするものである。
【０００７】
現在のリニアガイドが相当に広範的に一般の産業及び精密機械に応用されているので、テクノロジー快速化の趨勢に応じるため、リニアガイドも高速による問題を克服すべきで、潤滑というのはその主要な問題の一つである。
【０００８】
先ず、潤滑効率を上げるため、本発明はリニアガイドの自主潤滑システムを自動減摩油量調節と言う機能を設計し、しかも直接潤滑ローリング体という方式を採用する。本発明は自主潤滑システムをスライドブロックセットに設置し、潤滑ルートの毛管現象を利用して減摩油を潤滑位置に導引させ、減摩油が潤滑ルートに制限されて任意に流れる状態ではないので、この自主潤滑システムの油供給設計は従来の技術において、カバーあるいは板とスライドブロックとの接合面からなる油ルートから減摩油が漏れ出ることを避けることができる。
【０００９】
次に、本発明は毛管現象のある油含み材料を潤滑ルートに使用し、板とカバーの合わせ面に小さな隙間または潤滑口があり、油含み材料の中の減摩油をそこから毛管現象により回流転向ルートへ向かせる。油含み材料が減摩油を吸い込み、十分に油が滲み込んだとき、自然に潤滑位置空間の隙間または潤滑口に油膜現象を生じ、（即ち自動に毛管現象となる）減摩油は予定の穴から出て、回流転向ルートへ流れて、ローリング体を潤滑する。リニアガイドのローリング体はより遅い速度で移動する時に出てくる油量は毛管現象による正常の減摩油量となり、その油量で遅く移動ローリング体を潤滑する。
リニアガイドのローリング体が高速で移動する時は、ローリング体がローリングルートに移動し、中の流体（主に気体である）を連帯して運動させ、このとき回流転向ルートの中の流体（おもに気流である）は潤滑位置の中の流体（主に減摩油である）より速く、ボノリ原理によると、このときの回流転向ルートの中の流体圧力は潤滑位置での流体圧力より低く、潤滑位置での減摩油は圧力差により快速に吸い込まれ、回流転向ルートへ入り、直接にローリング体を潤滑する。よって、本発明における自主潤滑システムはリニアガイドのローリング体運動速度により自動に減摩油の油供給量を調節できる。そして潤滑方式は接触なしの直接ローリング体潤滑と言う方式であり、油供給方式も方向性の制限がないで、リニアガイドがどの方向に装着されても油を供給して潤滑することができる。また油含み材料はローリング体に接触しないので、ローリング体のローリングルートに影響しない。
【００１０】
そして、本発明はリニアガイド自主潤滑システムが自主潤滑する潤滑期間を延長する機能を備えるため、自主潤滑システムに油貯蔵装置を設計し、リニアガイドの有効ストロークを短くしなくて済む。自主潤滑システムの油貯蔵装置をリニアガイドのスライドブロックセットのスライドブロック本体の内面の上に設置すれば、スライドブロックセット軸の長さがそれで増加しなく、リニアガイドの有効ストロークは短くならない。
また、本発明もスライドブロックセットのスライドブロック本体に貫通或いは貫通しない空間を設置し、油貯蔵装置を装着する。減摩油がその空間に貯蔵され、自主潤滑システムはそれで減摩油を貯蔵する容量が増加する。前記の油含み材料毛管現象により自主に潤滑して潤滑期間を延長させる。よってリニアガイドの速度制限が相当に上がり、リニアガイドは広範にハイテック及び高速化の産業に応用することができる。
【００１１】
他に、本発明における油含み材料はフェルト、綿ネル、棉（あるいは棉線）、高密度棉或いは海綿などの材料を使用できる。なぜかと言うと、これらの材料は入手がし易く、減摩油の吸い込み性と毛管現象に優れているからである。
【発明を実施するための最良の形態】
【００１２】
図１は本発明における自主潤滑システム付きリニアガイドの立体概略図である。
スライドブロックセットはガイド１０に設置されて滑り、スライドブロックセットには主にスライドブロック本体２０と、カバー３０と、板（図に示していない）と外カバー４０とを含む。スライドブロック本体２０の両端にはそれぞれカバー３０及び外カバー４０が設置され、自主潤滑システム５０がスライドブロックセットに設置され、スライドブロックセットに従いガイド１０に滑る。
【００１３】
図２は図１の分解図である。同図では長方形となっているガイド１０上のスライドブロックセットの内部構造を示す。カバー３０がスライドブロック本体２０の両端に設置され、板３１はカバー３０とスライドブロック本体２０との間に設置される。板３１とカバー３０の内面には完全な回流転向ルートを形成し、ローリング体６０は回流転向ルートを回流転向する。
本発明における自主潤滑システムは油貯蔵装置５２及び潤滑ルート５３を含む。スライドブロック本体２０で強度に影響しない位置に貫通穴の中空溝２１を開けて、油貯蔵装置５２を設置する空間を増す。そして中空溝２１と両端面との間に穴２２を設け、中空溝２１に装置する油貯蔵装置５２内の減摩油を導出してローリング体６０を潤滑する。
本発明は特別に潤滑ルート５３を油貯蔵装置５２と潤滑位置との間の連結ルートにさせ、減摩油を穴２２から出てきてから板３１を経由してカバー３０の内端面から外端面へ、そしてカバー３０の外端面からカバー３０と板３１との間の潤滑位置へ導引してローリング体６０を潤滑する。本発明は別にカバー３０の外側にまた外カバー４０を加え、減摩油漏れや汚染を防止する。それに外カバー４０を増設してガイド１０と接触させてガイド１０での埃防止構造を採用することでスライドブロックセットに埃が入り込まないようにする。
【００１４】
図３は本発明における自主潤滑システム概略図である。
自主潤滑システムは主に油貯蔵装置５２及び潤滑ルート５３との組み合わせを含む。油貯蔵装置５２は油貯蔵タンク５２１と底板５２７により組み立てられ、底板５２７の両辺に保持部５２６を設置して、左右両列のローリング体６０を落ちないようにする。
潤滑ルート５３は油含み材料５３１、５３２と５３３の三つに分かれている。先ず、減摩油が一部の油貯蔵装置５２での油含み材料５３１により油貯蔵タンク５２１から導出され、板３１を経由してカバー３０の外端面が分岐した油含み材料５３２により減摩油を両サイドに導引させ、油含み材料５３２と５３３と繋がり、油含み材料５３３により減摩油を板３１とカバー（図に示していない）と合わせた潤滑位置へ導引させ、ローリング体６０がそれで潤滑される。
【００１５】
図４は図３に示した油貯蔵装置の底板の概略図である。図５は図３に示した油貯蔵装置の油貯蔵タンクと油含み材料と組み合わせた概略図である。
図に示した油貯蔵タンク５２１の両端には穴５２２が形成され、この穴５２２は油出穴にすることが出来、減摩油導出ルートの出口にすることが出来る。
しかも油入れ口にも出来、減摩油補充の油の入り口にすることが出来る。
本発明は油貯蔵タンク５２１内に置かれる油含み材料５３１を大面積の形状に設計し、減摩油量が減少する時にも油の供給を連続して順調にすることができる。油貯蔵タンク５２１の開け口は、その対応する底板５２７の溝部５２５と結合して油貯蔵空間になる。
油貯蔵装置５２をスライドブロックセットに固定できるようにするため、底板５２７の両端には、固定部５２３或いは５２４を設置する。固定部５２３と５２４との差異は、固定部５２３は連続するピンであり、固定部５２４は分離したピンである。固定部５２３或いは５２４と図２のカバー３０と組み合わせて、油貯蔵装置５２をスライドブロックセットに固定する。
【００１６】
図６は図３の板と油含み材料とを組み合わせた概略図である。
図に示した油含み材料５３３は、減摩油を板３１の上下回流転向ルートの間の潤滑位置へ導引させ、そして潤滑位置の上下両側にはそれぞれ潤滑口３１２を設けて、上下回流転向ルートを通じ合わせる。ローリング体６０が移動し、潤滑口３１２の位置の回流転向ルートを経由する時、ローリング体６０は直接に流れ出す減摩油と接触して潤滑される。板３１にも穴３１１及び固定穴３１３を設置している。穴３１１は油含み材料５３１を板３１に通すための穴で、固定穴３１３は板３１をカバーに固定するための穴で、カバーと完全のローリング体６０の回流転向ルートを完成させて、ローリング体６０をその中で回転させる。
【００１７】
また、本発明における油貯蔵装置５２の油貯蔵タンク５２１と底板５２７の材質は耐油性、耐摩擦性、耐高温性に優れた金属或いは非金属材質である。油貯蔵装置５２はこのような材質で封じるように包装し、または接合して形成した油貯蔵タンク体である。
【図面の簡単な説明】
【００１８】
【図１】本発明における自主潤滑システム付きリニアガイド立体概略図である。
【図２】図１の分解図である。
【図３】本発明における自主潤滑システム概略図である。
【図４】図３における油貯蔵装置の底板概略図である。
【図５】図３における油貯蔵装置の油貯蔵タンクと油含み材料と組み合わせた概略図である。
【図６】図３の板と油含み材料と組み合わせた概略図である。
【符号の説明】
【００１９】
１０        ガイド
２０        スライドブロック本体
２１        中空溝
２２        穴
３０        カバー
３１        板
３１１      穴
３１２      潤滑口
３１３      固定穴
４０        外カバー
５０        自主潤滑システム
５２        油貯蔵装置
５２１      油貯蔵タンク
５２２      穴
５２３      固定部
５２４      固定部
５２５      溝部
５２６      保持部
５２７      底板
５３        潤滑ルート
５３１      油含み材料
５３２      油含み材料
５３３      油含み材料
６０        ローリング体
【図１】
2005220994.tif 000003
【図２】
2005220994.tif 000004
【図３】
2005220994.tif 000005
【図４】
2005220994.tif 000006
【図５】
2005220994.tif 000007
【図６】
2005220994.tif 000008